(57)【特許請求の範囲】
【請求項１】
本体側面に設けた上方に開口部を有するコネクターカバーと、このコネクターカバー内において雌型コネクターを支持しつつ上下可動する可動支持体と、前記本体に着脱可能に装着される電動ユニットと、この電動ユニットに突設する顎部と、この顎部に設けた雄型コネクターを支持する固定支持体と、前記可動支持体に回動可能に軸支され前記電動ユニットの顎部に係止可能に設けた係止体を有し、前記係止体を移動して前記顎部に係止させることにより、前記雌型コネクターと前記雄型コネクターを接続可能とした接続装置。
【請求項２】
可動支持体の上部開口に面して、この上部開口を閉じる方向に俯勢される開閉板と、この開閉板に当接して前記上部開口を開く方向に前記開閉板を移動せしめる突片を固定支持体に形成した請求項１記載の接続装置。
【請求項３】
電動ユニットの両側壁に設けた一対の取手部と、この取手部が嵌合する本体上部に設けた切欠部を有し、前記取手部に一体に設けた爪部が、前記本体の切欠部近傍に設けた穴部に着脱可能に嵌入してなる請求項１記載の接続装置。
【請求項４】
本体に軸支される上方に回動可能な運搬用のハンドルを備え、このハンドルは前記本体の運搬に使用しないときは、ハンドルの把り部が係止体の上部に当接してなる請求項１記載の接続装置。
【請求項５】
本体に軸支される上方に回動可能な運搬用のハンドルを備え、このハンドルは前記本体の運搬に使用しないときは、ハンドルの側部が電動ユニットの取手部を覆うように位置してなる請求項３記載の接続装置。
【発明の詳細な説明】
【０００１】
【発明の属する技術分野】
本発明は加湿機などの接続装置に関する。
【０００２】
【従来の技術】
一般に容積大なる加湿フィルターなどを出し入れするために、送風機などの電動部品を着脱可能とする接続装置が利用されている。
【０００３】
従来、この種の接続装置について図７を参照しながら説明する。
【０００４】
図に示すように、本体ケース１０１内上部に羽根１０２を回転するモータ１０３を有し、本体ケース１０１の底部に貯水槽１０４がねじ１０７により着脱可能に接続されている。モータ１０３の回転軸には、下端を貯水槽１０４に臨ませた中空状の吸水管１０５を連結している。この吸水管１０５を包囲するように貯水槽１０４内に加湿フィルター１０６を配置し、モータ１０３の回転とともに、吸水管１０５の側面から飛散した飛散水を受けた加湿フィルター１０６に羽根１０２によって強制通風することにより加湿している。加湿フィルター１０６は円筒形状をなし、吸湿性の発泡ポリウレタンや吸湿性フィルター材を折り曲げ加工したものが使用されている。
【０００５】
上記構成において、お手入れのために加湿フィルター１０６を取り出すときは、ねじ１０７を締めてモータ１０３が付設した本体ケース１０１を貯水槽１０４から分離し、本体ケース１０１を上方に引き上げることにより、貯水槽１０４に載置された加湿フィルター１０６を直接取り出すことができるものであった。
【０００６】
【発明が解決しようとする課題】
このような従来の接続装置では、本体ケース１０１にはモータ１０３や羽根１０２などが付設しているため、貯水槽１０４から重量・形状大なる本体ケース１０１を外すときの作業性が良くないという課題があり、容易に加湿フィルター１０６が取り出せることが要求されている。
【０００７】
また、本体ケース１０１を外すときに、誤ってモータ１０３に通電された場合は、羽根１０２などに触れると危険であるという課題があり、使用者にとって誤操作による危険を生じることのない構造が要求されている。
【０００８】
本発明は、このような従来の課題を解決するものであり、お手入れ時に容積大なる加湿フィルターを簡単に取り出すことができ、一般の使用者に対して安全に取扱え、確実に接続できる接続装置を提供することを目的とする。
【００１１】
【課題を解決するための手段】
本発明の接続装置は上記目的を達成するために、本体側面に設けた上方に開口部を有するコネクターカバーと、このコネクターカバー内において雌型コネクターを支持しつつ上下可動する可動支持体と、前記本体に着脱可能に装着される電動ユニットと、この電動ユニットに突設する顎部と、この顎部に設けた雄型コネクターを支持する固定支持体と、前記可動支持体に回動可能に軸支され前記電動ユニットの顎部に係止可能に設けた係止体を有し、前記係止体を移動して前記顎部に係止させることにより、前記雌型コネクターと前記雄型コネクターを接続可能とした構成としたものである。
【００１２】
そして本発明によれば、一般の使用者に対して安全に取扱いができ、確実に接続できる接続装置が得られる。
【００１４】
【発明の実施の形態】
本発明は、本体側面に設けた上方に開口部を有するコネクターカバーと、このコネクターカバー内において雌型コネクターを支持しつつ上下可動する可動支持体と、前記本体に着脱可能に装着される電動ユニットと、この電動ユニットに突設する顎部と、この顎部に設けた雄型コネクターを支持する固定支持体と、前記可動支持体に回動可能に軸支され前記電動ユニットの顎部に係止可能に設けた係止体を有し、前記係止体を移動して前記顎部に係止させることにより、前記雌型コネクターと前記雄型コネクターを接続可能としたものであり、係止体を顎部に係止させることにより、本体に電動ユニットを確実に機械的に接続するだけでなく、可動支持体に支持された雌型コネクターを移動して、固定支持体に支持された雄型コネクターに確実に電気的に接続できるという作用を有する。
【００１５】
また、可動支持体の上部開口に面して、この上部開口を閉じる方向に俯勢される開閉板と、この開閉板に当接して前記上部開口を開く方向に前記開閉板を移動せしめる突片を固定支持体に形成したものであり、電動ユニットが本体より分離されたときは、可動支持体に支持される雌型コネクターが上部開口より露出されるが、開閉板が上部開口を閉じることで水滴などの侵入を防いで雌型コネクターを保護し、電動ユニットを本体に装着するときには、固定支持体に形成した突片が開閉板に当接して上部開口を開き、雌型コネクターの移動に伴い雄型コネクターへの接続がなされるという作用を有する。
【００１６】
また、電動ユニットの両側壁に設けた一対の取手部と、この取手部が嵌合する本体上部に設けた切欠部を有し、前記取手部に一体に設けた爪部が、前記本体の切欠部近傍に設けた穴部に着脱可能に嵌入するものであり、電動ユニットを本体に装着するときは、取手部に一体に設けた爪部が本体の穴部に嵌入して強固に結合され、電動ユニットを本体より分離するときは、取手部を押圧して爪部を押し下げ、穴部から外すことにより、着脱作業が容易にできるという作用を有する。
【００１７】
また、本体に軸支される上方に回動可能な運搬用のハンドルを備え、このハンドルは前記本体の運搬に使用しないときは、ハンドルの把り部が係止体の上部に当接するものであり、係止体を操作するためにはハンドルを上方に回動する必要があり、誤って係止体に触れて電動ユニットの顎部との結合を外すのを防ぐという作用を有する。
【００１８】
また、本体に軸支される上方に回動可能な運搬用のハンドルを備え、このハンドルは前記本体の運搬に使用しないときは、ハンドルの側部が電動ユニットの取手部を覆うように位置してなるものであり、取手部を押圧するためにはハンドルを上方に回動する必要があり、誤って取手部に触れて取手部と一体の爪部が本体の穴部から外れるのを防止するという作用を有する。
【００１９】
以下、本発明の実施例について図面を参照しながら説明する。
【００２０】
【実施例】
（実施例１）
図１〜図５に示すように、上方に開口面１ｄを有する本体１は側面に吸込口２と内部に給水タンク５より給水溝３を介して給水される水槽４を設けている。水槽４の底部には凸形状の発熱板６を設け、発熱板６の上底内面にヒータ７を付設し、ヒータ７に通電することにより水槽４内の水を加熱して温水としている。筒状の加湿フィルター８は水槽４の水に下部を浸して、その中心をヒータ７の中心に合わせて載置されている。
【００２１】
送風機ユニット９は本体１の開口面に着脱可能に装着され、加湿フィルター８の上方に設置される。送風機ユニット９は、吹出口１０を形成する天板１１とモータ１２を支持し通風路を形成するモータ脚１３と、モータ１２に取付けられた羽根１４と、オリフィスを形成する下部板１５からなる。またモータリード線１６先端に設けた雄型コネクター１７は雄型コネクター支持体１８により支持され天板１１の顎部１１ａに取付けられる。天板１１の側部には一対の取手１９が支持されており、取手１９の下部には爪部１９ａが立設し、取手１９は本体１のＵ字部１ａに係合し爪部１９ａはＵ字部１ａ下方の穴部１ｂに係止するようになっている。
【００２２】
本体１側面の凹部１ｃにはコネクターカバー２０が嵌入し、上方に開口する開口部２１が形成され、その内部には本体１内の電源リード線２２先端に設けた雌型コネクター２３を支持した雌型コネクター支持体２４が上下動自在に可動するように挿入されている。
【００２３】
雌型コネクター支持体２４には、ばね２５により俯勢され開閉自在に開閉板２６が取付けられ、立設する軸部２４ａにはコネクターカバー２０の長穴２０ａを介して、係止体２７が回動自在に取付けられ、係止体２７天面内側の係止体突起２７ａは天板１１の顎部突起１１ｂに係止するようになっている。
【００２４】
上記構成において、まず送風機ユニット９を、天板１１の顎部１１ａと本体１の凹部１ｃを合わせながら、真上から押し込むと天板１１と取手１９は本体１に係合し爪部１９ａが本体１の穴部１ｂに係止する。このとき雌型コネクター支持体２４はコネクターカバー２０内の下方に位置し、雄型コネクター支持体１８に立設する突片１８ａと開閉板２６が当接して開閉板２６は開状態となり、雌型コネクター２３は雄型コネクター１７に嵌入可能な状態となる。
【００２５】
次に係止体２７を回動させて、係止体突起２７ａを天板１１の顎部突起１１ｂに係止するように閉じると、雌型コネクター支持体２４はコネクターカバー２０内を上へ移動し雌型コネクター２３は雄型コネクター１７に嵌合状態となり、コネクター同志は電気的に接続される。さらに送風機ユニット９は爪部１９ａが本体１の穴部１ｂに係止し、係止体２７も顎部１１ａに係止しており機械的にも確実に接続される。
【００２６】
また、お手入れ時に加湿フィルター８を取り出すには、まず係止体２７を顎部１１ａより外して取手１９の凹部１９ｂを押圧すると、そのたわみにより爪部１９ａの係止が穴部１ｂから外れ、そのまま送風機ユニット９を真上に持ち上げて本体１から外すことができる。
【００２７】
また、運転時は水槽４には給水タンク５から給水溝３を通り給水され、ヒータ７の加熱により水槽４内の水温が上昇して、表面より蒸気が発生するとともに、温度差を設けた毛細管現象により加湿フィルター８に温水が効果的に吸い上げられ、ヒータ７への通電が加湿能力を向上するものである。
【００２８】
このように本発明の実施例１の接続装置によれば、送風機ユニット９を本体１から分離し、相互をコネクター接続で着脱可能とすることで、お手入れ時に加湿フィルター８を取り出すのに送風機ユニット９を容易に外すことができる。また誤って運転中に送風機ユニット９を外しても、本体１からの電源供給がなくなり羽根１４の回転も停止するため、安全性を高めることができる。
【００２９】
また、係止体２７により本体１と送風機ユニット９は機械的にも接続されており、雌型コネクター２３と雄型コネクター１７の接続はより確実なものとすることができる。
【００３０】
また、雌型コネクター支持体２４には開閉板２６が取付けられており、送風機ユニット９の取付時は開閉板２６が開いてコネクター接続されるが、送風機ユニット９を外した時は、開閉板２６は閉じた状態となり雌型コネクター２３を遮蔽している。したがって送風機ユニット９を分離している時に誤って水がかかっても、雌型コネクター２３には水が付着することはなく、雌型コネクター２３の接触不良等の故障を防止することができる。
【００３１】
また、送風機ユニット９に配設した取手１９の爪部１９ａが本体１の穴部１ｂに係止しているため、送風機ユニット９は本体１に機械的に装着されており、本体１の転倒などでは容易に外れることはない。さらに取手１９の凹部１９ｂを内側に押圧すると、そのたわみにより爪部１９ａの穴部１ｂへの係止が解除され、本体１から送風機ユニット９を容易に分離することができる。
【００３２】
なお、本実施例では本体１側に雌型コネクター２３、送風機ユニット９側に雄型コネクター１７を配設したが、コネクターを逆に配設してもよく、その作用効果に差異を生じない。
【００３３】
（実施例２）
図１および図６に示すように、本体１の一方に装着される送風機ユニット９と反対側に配置される給水タンク５の間に、本体１のハンドル軸受部２８と当り部２９が設けられ、このハンドル軸受部２８に持ち運び用のハンドル３０の軸部３１が嵌入して軸支されている。
【００３４】
ハンドル３０を倒しているときは、把り部３０ｂが係止体２７の天面に当接し、横向きに停止している。このときハンドル３０の側部３０ａは送風機ユニット９の取手１９を覆う位置に横たわり、取手１９を直接触れられないようになっている。またハンドル３０の軸部３１よりリブ３２が立設し、ハンドル３０を上方に回動すると、本体１に対して略直角の位置で当り部２９に当接して回動が規制されるようになっている。
【００３５】
上記構成において、まず本体１を持ち運ばない時は、ハンドル３０は倒した状態であり、ハンドル３０の側部３０ａが送風機ユニット９の取手１９の開口部１９ｂを覆うので、不用意に送風機ユニット９の取手１９を持って本体１ごと持ち運ぶことを防止することができる。さらに係止体２７にハンドル３０の把り部３０ｂが当接しているので、通常は係止体２７は外しにくい状態とすることができ、外部からの衝撃によっても容易に外れないようにすることができる。
【００３６】
次にハンドル３０を持って運ぶときに、給水タンク５に満水時は、ハンドル３０のリブ３２が本体１の当り部２９に当接する直前に本体１は均り合った状態でほぼ水平に位置される。給水タンク５の水量が空状態のときは送風機ユニット９側に重心が移り本体１は傾こうとするが、リブ３２が当り部２９に当接するのでハンドル３０の回動は規制され、本体はほぼ水平位置を維持することができる。
【００３８】
【発明の効果】
以上の実施例から明らかなように、本体側面に設けた上方に開口部を有するコネクターカバーと、このコネクターカバー内において雌型コネクターを支持しつつ上下可動する可動支持体と、前記本体に着脱可能に装着される電動ユニットと、この電動ユニットに突設する顎部と、この顎部に設けた雄型コネクターを支持する固定支持体と、前記可動支持体に回動可能に軸支され前記電動ユニットの顎部に係止可能に設けた係止体を有し、前記係止体を移動して前記顎部に係止させることにより、前記雌型コネクターと前記雄型コネクターを接続可能としたことにより、本体と電動ユニットは機械的にも接続されており、雌型コネクターと雄型コネクターの接続をより確実なものとすることができる効果のある加湿装置を提供することができる。
【００３９】
また、可動支持体の上部開口に面して、この上部開口を閉じる方向に俯勢される開閉板と、この開閉板に当接して前記上部開口を開く方向に前記開閉板を移動せしめる突片を固定支持体に形成したことにより、本体から電動ユニットを分離したときは、可動支持体の上部開口を開閉板が閉じて、雌型コネクターに水滴などの付着を防いで漏電や接続不良を防止できるとともに、本体に電動ユニットを装着するときは、固定支持体に形成した突片が開閉板を開くので、コネクターの接続作業を容易に行うことができる効果のある加湿装置を提供できる。
【００４０】
また、電動ユニットの両側壁に設けた一対の取手部と、この取手部が嵌合する本体上部に設けた切欠部を有し、前記取手部に一体に設けた爪部が、前記本体の切欠部近傍に設けた穴部に着脱可能に嵌入することにより、電動ユニットを本体に装着するときは爪部が穴部に嵌入して確実に固定できるとともに、電動ユニットを本体から分離するときは、取手部を内側に押圧することにより、取手部に一体に設けた爪部が本体の穴部より簡単に外れるため、着脱操作が容易に行える効果のある接続装置を提供できる。
【００４１】
また、本体に軸支される上方に回動可能な運搬用のハンドルを備え、このハンドルは前記本体の運搬に使用しないときは、ハンドルの把り部が係止体の上部に当接することにより、誤って係止体が外されないようにして誤使用を未然に防止できる効果のある接続装置を提供できる。
【００４２】
前記ハンドルの把り部が係止板に当接することにより、不用意に送風機ユニットの取手を持って本体ごと持ち運ぶことを防止することができ、係止体は外しにくい状態とすることができる効果のある加湿装置を提供できる。
【００４３】
また、ハンドルの軸部に立設したリブと、本体にハンドル軸受部と、当り部とを備え、前記ハンドルのリブが前記当り部に当接し、前記ハンドルの回動を本体に対して略直角以内に規制したので、給水タンク内の水量にかかわらず、本体をバランス良く片手で持ち運ぶことができる効果のある加湿装置を提供できる。
【００４４】
また、本体に軸支される上方に回動可能な運搬用のハンドルを備え、このハンドルは前記本体の運搬に使用しないときは、ハンドルの側部が電動ユニットの取手部を覆うように位置することにより、取手部に直接手指が入らないようにして、運搬に取手部を使用するという誤使用を未然に防止できる効果のある接続装置を提供できる。
【図面の簡単な説明】
【図１】本発明の実施例１および実施例２の接続装置の分解斜視図
【図２】同実施例１の接続装置の側断面図
【図３】同要部分解斜視図
【図４】同要部断面図
【図５】同側断面図
【図６】本発明の実施例２の接続装置の側面図
【図７】従来の接続装置の断面図
【符号の説明】
１      本体
１ａ    Ｕ字部（切欠部）
１ｂ    穴部
１ｄ    開口面
１ｅ    電源供給部
４      水槽
７      ヒータ
８      加湿フィルター
９      送風機ユニット（電動ユニット）
１１ａ  顎部
１７    雄型コネクター
１８    雄型コネクター支持体（固定支持体）
１８ａ  突片
１９    取手（取手部）
１９ａ  爪部
２０    コネクターカバー
２１    開口部
２３    雌型コネクター
２４    雌型コネクター支持体（可動支持体）
２４ｂ  上部開口
２６    開閉板
２７    係止体
３０    ハンドル
３０ａ  側部
３０ｂ  把り部
【図１】
0004480816.tif 000002
【図２】
0004480816.tif 000003
【図３】
0004480816.tif 000004
【図４】
0004480816.tif 000005
【図５】
0004480816.tif 000006
【図６】
0004480816.tif 000007
【図７】
0004480816.tif 000008